(57)【要約】【課題】  閉塞部材を閉じる際に収納物やキャビネット本体への衝撃を緩和し、また閉塞部材によって手指が挟まれることを防止でき、尚且つ長期間使用したとしても高いダンパー能力を維持できるキャビネットを提供する。【解決手段】  キャビネット本体２の開口部２ｂを閉塞する開閉自在な閉塞部材３を閉塞する際にダンパーとして機能するダンパー機構として、キャビネット本体２及び閉塞部材３の内、一方に磁石を設けると共に、他方に前記閉塞部材３を閉塞する際に前記磁石に反発する別の磁石を設ける。【選択図】        図１
2006009367.tif 000002
【特許請求の範囲】
【請求項１】
キャビネット本体の開口部を閉塞する開閉自在な閉塞部材を閉塞する際にダンパーとして機能するダンパー機構として、キャビネット本体及び閉塞部材の内、一方に磁石を設けると共に、他方に前記閉塞部材を閉塞する際に前記磁石に反発する別の磁石を設けて成ることを特徴とするキャビネット。
【請求項２】
上記両磁石の内一方を電磁石として成ることを特徴とする請求項１に記載のキャビネット。
【請求項３】
閉塞部材を閉塞する際において閉塞部材が開状態から半開き状態になるまでの閉動作初期状態にあるか、閉塞部材を閉塞する際において閉塞部材が前記半開き状態から閉状態になるまでの閉動作終期状態にあるか、を検知する開閉状態検知手段を設け、閉塞部材が閉動作初期状態にある場合には電磁石に両磁石が反発する方向に電流を流し、閉塞部材が閉動作終期状態にある場合には電磁石に両磁石が引き合う方向に電流を流すように設定して成ることを特徴とする請求項２に記載のキャビネット。
【請求項４】
上記開閉状態検知手段を、閉塞部材が上記半開き状態にあるか否かを検知する半開き状態検知手段とし、閉塞部材が半開き状態よりも開いた状態にある場合には、電磁石に両磁石が反発する方向に電流を流すように予め設定し、半開き状態検知手段にて閉塞部材が半開き状態にあることを検知した際に電磁石に流れる電流の向きを逆方向に切り換えるように設定して成ることを特徴とする請求項３に記載のキャビネット。
【発明の詳細な説明】
【技術分野】
【０００１】
本発明は、閉塞部材を閉塞する際にダンパーとして機能するダンパー機構を備えたキャビネットに関する。
【背景技術】
【０００２】
キャビネット本体と、キャビネット本体の開口部を閉塞する引出しや扉等からなる閉塞部材と、を備えたキャビネットにあっては、閉塞部材を閉じる際に収納物やキャビネット本体への衝撃を緩和し、また閉塞部材によって手指が挟まれることを防止するために、閉塞部材を閉塞する際にダンパーとして機能するオイルやガスを利用したダンパー機構を備えたキャビネットが知られている（例えば特許文献１）。
【０００３】
ところでこの種のキャビネットにあっては、ダンパー機構のオイル漏れやガス漏れを防止するためにパッキンを設けているのだが、パッキンの経年変化や劣化によりダンパー機構内のオイルやガスが洩れ、これによりダンパーとしての機能が低下する恐れがある。
【特許文献１】実開平０６−８４０４１号公報
【発明の開示】
【発明が解決しようとする課題】
【０００４】
本発明は上記従来の問題点に鑑みて発明したものであって、閉塞部材を閉じる際に収納物やキャビネット本体への衝撃を緩和でき、また閉塞部材によって手指が挟まれることを防止でき、尚且つ長期間使用したとしても高いダンパー能力を維持できるキャビネットを提供することを課題とするものである。
【課題を解決するための手段】
【０００５】
上記課題を解決するために本発明に係るキャビネット１は、キャビネット本体２の開口部２ｂを閉塞する開閉自在な閉塞部材３を閉塞する際にダンパーとして機能するダンパー機構として、キャビネット本体２及び閉塞部材３の内、一方に磁石１０（又は１１）を設けると共に、他方に前記閉塞部材３を閉塞する際に前記磁石１０（又は１１）に反発する別の磁石１１（又は１０）を設けて成ることを特徴とする。
【０００６】
キャビネット本体２及び閉塞部材３の内一方に設けた磁石と、他方に設けた前記磁石に対向する別の磁石、との反発力を利用したダンパー機構を備えることができ、該ダンパー機構により閉塞部材３を閉じる際に収納物やキャビネット本体２への衝撃を緩和し、また閉塞部材３によって手指が挟まれることを防止できるのは勿論、加えて長期間使用したとしても高いダンパー能力を維持できる。
【０００７】
また請求項２は請求項１において、上記両磁石１０、１１の内一方１０を電磁石として成ることを特徴とする。両磁石１０、１１の内一方１０を電磁石とすることで、電磁石を流れる電流の向きや強さを制御して、様々な機能を有するダンパー機構を備えることができる。
【０００８】
また請求項３は請求項２において、閉塞部材３を閉塞する際において閉塞部材３が開状態から半開き状態になるまでの閉動作初期状態にあるか、閉塞部材３を閉塞する際において閉塞部材３が前記半開き状態から閉状態になるまでの閉動作終期状態にあるか、を検知する開閉状態検知手段１３を設け、閉塞部材３が閉動作初期状態にある場合には電磁石１０に両磁石が反発する方向に電流を流し、閉塞部材３が閉動作終期状態にある場合には電磁石１０に両磁石が引き合う方向に電流を流すように設定して成ることを特徴とする。
【０００９】
閉塞部材３を開状態から半開き状態にするまでにおいては電磁石１０と他方の磁石１１とを反発させてダンパーとしての機能を十分に発揮させることができ、また閉塞部材３を半開き状態から閉状態にするまでにおいては電磁石１０と他方の磁石１１とを吸引させて閉塞部材３にてキャビネット本体２の開口部２ｂを強固に閉塞できる。
【００１０】
また請求項４は請求項３において、上記開閉状態検知手段を、閉塞部材３が上記半開き状態にあるか否かを検知する半開き状態検知手段１３とし、閉塞部材３が半開き状態よりも開いた状態にある場合には、電磁石１０に両磁石１０、１１が反発する方向に電流を流すように予め設定し、半開き状態検知手段１３にて閉塞部材３が半開き状態にあることを検知した際に電磁石１０に流れる電流の向きを逆方向に切り換えるように設定して成ることを特徴とする。
【００１１】
上記構成により開閉状態検知手段及び該開閉状態検知手段による制御を簡易なものとでき、キャビネット１のコストを削減できる。
【発明の効果】
【００１２】
本発明では、閉塞部材を閉じる際に収納物やキャビネット本体への衝撃を緩和でき、また閉塞部材によって手指が挟まれることを防止でき、しかも長期間使用しても高いダンパー能力を維持できるキャビネットを提供できる。
【発明を実施するための最良の形態】
【００１３】
図１に本実施形態のキャビネットの概略説明図を示す。キャビネット１は、内部に空所部２ａを有し且つ前面に空所部２ａ内に連通する開口部２ｂを形成した箱状のキャビネット本体２と、キャビネット本体２の開口部２ｂを閉塞する開閉自在な閉塞部材３とを有している。
【００１４】
本実施形態の閉塞部材３は上記キャビネット本体２の空所部２ａ内を前後方向に移動して空所部２ａ内に出し入れ自在に収納される引出し３ａである。引出し３ａは、底板４と、底板４の両側端に立設した側板５と、底板４の後端に立設した後板６と、を有する引出し本体８と、引出し本体８の底板４、両側板５、後板６、で囲まれた空間９を前方から覆うように引出し本体８に設けた前板７とからなり、底板４、前板７、両側板５、後板６、によって囲まれた上方に開口する空間９を収納物を収納する収納部としている。
【００１５】
上記引出し３ａは、引出し本体８の全部を図１に示すようにその前後方向の移動範囲における後端まで移動してキャビネット本体２の全部を空所部２ａ内に収納し、引出し３ａの前板７でキャビネット本体２の開口部２ｂを完全に閉塞して閉状態となるものであり、またこの閉状態から引出し３ａをやや前方に移動させることで引出し３ａの前板７でキャビネット本体２の開口部２ｂを完全には閉塞しない半開き状態とするものであり、またこの半開き状態からさらに引出し３ａを前方に移動させることで引出し３ａの前板７でキャビネット本体２の開口部２ｂを閉塞せずに開放して開状態とするものである。
【００１６】
キャビネット１は引出し３ａが閉状態となる方向に常時力が加えられる所謂セルフクロージング機構を備えており、このセルフクロージング機構は引出し３ａに常時ばね力を該引出し３ａが閉状態となる方向（図３、図４矢印イ参照）に付勢するものである。なおセルフクロージング機構のばね力は電磁石１０に電流を流した時の電磁石１０と永久磁石１１の反発力よりも大きく設定されているものとする。
【００１７】
上記キャビネット１にあっては、引出し３ａを閉塞する際にダンパーとして機能するダンパー機構として、キャビネット本体２及び引出し３ａの内、一方に磁石を設けると共に、他方に前記閉塞部材３を閉塞する際に前記磁石に反発する別の磁石を設けている。
【００１８】
具体的には、上記両磁石の内一方の磁石として、引出し３ａに永久磁石１１を設け、他方の磁石としてキャビネット本体２に電磁石１０を設けている。永久磁石１１は引出し本体８の後板６の後面に設けられており、また電磁石１０は、キャビネット本体２の空所部２ａの奥面、即ちキャビネット本体２の引出し３ａを閉状態とした際において引出し３ａの後板６の後面に対向する面に設けられている。ここで電磁石１０と永久磁石１１は引出し３ａを閉状態とした際において引出し３ａの移動方向に並設されている。また電磁石１０にあっては電流を流した場合に永久磁石１１側と永久磁石１１とは反対側（即ち引出し３ａの移動方向における両側）が異極となるように配設されており、また永久磁石１１は電磁石１０側と電磁石１０とは反対側（即ち引出し３ａの移動方向における両側）が異極となるように配設されており、本実施形態の永久磁石１１は電磁石１０側をＮ極とし電磁石１０とは反対側をＳ極としている。
【００１９】
上記電磁石１０の電源１５は電池等の直流電源からなり、キャビネット１（キャビネット本体２又は引出し３ａ）に設けられている。この電源１５は配線１２を介して電磁石１０に電気的に接続されており、この電源１５から前記電磁石１０に常時電力が供給されて、電磁石１０には該電磁石１０と永久磁石１１の対向する極が同極となる方向に電流が流されている。
【００２０】
またキャビネット本体２には、引出し３ａを閉塞する際において引出し３ａが開状態から半開き状態になるまでの閉動作初期状態にあるか、引出し３ａを閉塞する際において引出し３ａが半開き状態から閉状態になるまでの閉動作終期状態にあるか、を検知する開閉状態検知手段を設けている。
【００２１】
開閉状態検知手段は引出し３ａが半開き状態にあるか否かを検知する半開き状態検知手段からなり、本実施形態ではこの半開き状態検知手段を、キャビネット本体２に設けた位置検出スイッチ１３としている。位置検出スイッチ１３は引出し本体８に設けたスイッチ操作部１４が接触した際に引出し３ａが半開き状態にあるとし、位置検出スイッチ１３にスイッチ操作部１４が接触していない時に引出し３ａが半開き状態にないとするものであって、キャビネット本体２の内面における引出し３ａを閉状態とした際に前記スイッチ操作部１４よりもやや前方に位置する箇所に設けられている。
【００２２】
また図示は省略するがキャビネット本体２には、引出し３ａが閉動作終期状態にある場合において引出し３ａが閉動作初期状態にある場合よりも弱い電流を流す制御手段を設けている。具体的にこの制御手段は、上記半開き状態検知手段にて引出し３ａが半開き状態にあることを検知した際に電磁石１０に流れる電流の強弱を切り換えるものである。ここで引出し３ａが半開き状態よりも開いた状態にある場合には、電磁石１０に引出し３ａが半開き状態より閉まった状態にある場合よりも強い電流を流すように予め設定してあるものとする。
【００２３】
また上記電流の強弱を切り換える機構としては、例えば図２に示す機構が採用されている。即ち、電源１５と電磁石１０とを二経路で電気的に接続し、一方の経路に抵抗１６を設け、他方の経路には抵抗１６を設けず、これら二経路のいずれかを選択して電磁石１０に電力を供給できるようにしている。
【００２４】
以下上記引出し３ａを開状態から閉状態にする場合について説明する。
【００２５】
キャビネット１の引出し３ａが開状態にある場合には、前述したセルフクロージング機構のばね力により引出し３ａは閉状態となるよう後方に移動する。この際、電磁石１０には該電磁石１０と永久磁石１１の対向する極が同極となるように電流が流れており、この電流の強さは強となっている。これにより図３の矢印ロに示すように電磁石１０と永久磁石１１が強く反発し、この電磁石１０と永久磁石１１の強い反発力がダンパーとして機能する。
【００２６】
引出し３ａが上記開状態からセルフクロージング機構のばね力により上記電磁石１０と永久磁石１１の強い反発力に抗して後方へ移動し、図４に示すように完全に開口部２ｂを閉塞する直前の半開き状態になると、上記半開き状態検知手段にて引出し３ａが半開き状態にあることが検知され、これにより制御手段は前記電磁石１０と永久磁石１１の対向する極が同極となる方向に流れる電流の強さを強から弱に切り換える。これにより図４の矢印ハに示すように電磁石１０と永久磁石１１が弱く反発し、この電磁石１０と永久磁石１１の弱い反発力がダンパーとして機能する。
【００２７】
そして上記半開き状態にある引出し３ａはセルフクロージング機構のばね力により電磁石１０と永久磁石１１の弱い反発力に抗して閉状態となるようにさらに後方に移動し、しかして引出し３ａが閉状態となる。
【００２８】
次に引出し３ａを上記閉状態から開状態にする場合について説明する。
【００２９】
上記閉状態にある引出し３ａが使用者により前方に移動させられ半開き状態となると、上記半開き状態検知手段にて引出し３ａが半開き状態にあることが検知され、これにより制御手段は電磁石１０と永久磁石１１の対向する極が同極となる方向に流れる電流の強さを弱から強に切り換える。そしてこの半開き状態からさらに引出し３ａが前方に移動させられて、引出し３ａは開状態となる。
【００３０】
即ち引出し３ａが半開き状態よりも開いた状態にある場合には、電磁石１０に流れる電流の向きが電磁石１０と永久磁石１１の対向する極が同極となる方向になり、且つ流れる電流の強さが強となり、引出し３ａが半開き状態よりも閉じた状態にある場合には、電磁石１０に流れる電流の向きが電磁石１０と永久磁石１１の対向する極が同極となる方向になり、且つ流れる電流の強さが弱となる。
【００３１】
上記のように本発明では、引出し３ａに永久磁石１１を設けると共にキャビネット本体２に引出し３ａを閉塞する際に永久磁石１１に反発する電磁石１０を設けることで、電磁石１０と永久磁石１１の反発力を利用した新規なダンパー機構を備えることができ、これにより引出し３ａを閉じる際に収納物やキャビネット本体２への衝撃を緩和し、また引出し３ａによって手指が挟まれることを防止できるのは勿論、加えて従来例に示したオイルやガスを利用したダンパー機構のように長期使用によりパッキンが劣化してダンパーとしての機能が低下することがなく、高いダンパー能力を維持できる。
【００３２】
さらに本実施形態では上記したように、引出し３ａが閉動作初期状態にあるか、閉動作終期状態にあるか、を検知する開閉状態検知手段を設け、引出し３ａが閉動作終期状態にある場合には電磁石１０に閉動作初期状態にある場合よりも弱い電流を流すように設定してあるので、引出し３ａを開状態から半開き状態にするまでにおいては電磁石１０と永久磁石１１の反発力を強くしてダンパーとしての機能を十分に発揮させ、引出し３ａを半開き状態から閉状態にするまでにおいては電磁石１０と永久磁石１１の反発力を弱くでき、これにより電磁石１０と永久磁石１１とを当接した状態で引出し３ａにてキャビネット本体２の開口部２ｂを強固に閉塞することができる。
【００３３】
また本実施形態では、上記開閉状態検知手段を引出し３ａが半開き状態にあるか否かを検知する半開き状態検知手段とし、引出し３ａが半開き状態よりも開いた状態にある場合には、電磁石１０に引出し３ａが半開き状態より閉まった状態にある場合よりも強い電流を流すように予め設定し、また上記半開き状態検知手段にて引出し３ａが半開き状態にあることを検知した際に電磁石１０に流れる電流の強弱を切り換えるように設定してあるので、開閉状態検知手段及び制御手段を簡易なものとできキャビネット１のコストを削減できる。
【００３４】
なお、本実施形態では引出し３ａが閉動作終期状態にある場合には引出し３ａが閉動作初期状態にある場合よりも弱い電流を流すように設定したが、引出し３ａが閉動作終期状態にある場合に電磁石１０に引出し３ａが閉動作初期状態にある場合よりも強い電流を流すように設定することも好ましい。この場合、引出し３ａを開状態から半開き状態にするまでにおいては電磁石１０と永久磁石１１の反発力を弱くして引出し３ａの引き込む速度を大きくし、引出し３ａを半開き状態から閉状態にするまでにおいては電磁石１０と永久磁石１１の反発力を強くして引出し３ａの引き込む速度を小さくすることができ、これにより引出し３ａを閉じる際に収納物やキャビネット本体２への衝撃をより一層緩和でき、また引出し３ａの前板７によって手指が強い力で挟まれることを防止できる。
【００３５】
図５及び図６に上記とは異なる実施形態について説明する。なお上記実施形態と同一の構成については同一の番号を付与してあり、重複する説明については説明を省略する。
【００３６】
本実施形態では制御手段による制御が上記実施形態と異なっている。
【００３７】
制御手段は、上記閉動作初期状態には電磁石１０に該電磁石１０と永久磁石１１の対向する極が同極となって電磁石１０と永久磁石１１が反発する方向に電流を流し、上記閉動作終期状態には電磁石１０に該電磁石１０と永久磁石１１の対向する極が異極となって電磁石１０と永久磁石１１が引き合う方向に電流を流すように設定されている。具体的に制御手段は上記半開き状態検知手段にて引出し３ａが半開き状態にあることを検知した際に電磁石１０に流れる電流の向きを逆方向に切り換えるものである。ここで引出し３ａが半開き状態よりも開いた状態にある場合には、電磁石１０に該電磁石１０と永久磁石１１とが反発する方向に電流を流すように予め設定しているものとする。
【００３８】
以下上記引出し３ａを開状態から閉状態にする場合について説明する。
【００３９】
キャビネット１の引出し３ａが開状態にある場合には、セルフクロージング機構のばね力により引出し３ａは閉状態となるよう後方に移動する。この際、電磁石１０には該電磁石１０と永久磁石１１の対向する極が同極となるように電流が流れている。これにより図５の矢印ニに示すように電磁石１０と永久磁石１１が反発し、この電磁石１０と永久磁石１１の反発力がダンパーとして機能する。
【００４０】
引出し３ａが上記開状態からセルフクロージング機構のばね力により上記電磁石１０と永久磁石１１の反発力に抗して後方へ移動し、図６に示す完全に開口部２ｂを閉塞する直前の半開き状態になると、半開き状態検知手段にて引出し３ａが半開き状態にあることが検知され、これにより制御手段は電磁石１０と永久磁石１１の対向する極が同極となる方向に流れる電流の向きを逆方向に切り換え、電磁石１０に流れる電流の向きを図６の矢印ホに示すように電磁石１０と永久磁石１１が引き合う方向とする。これにより電磁石１０と永久磁石１１の反発は吸引に切り換わる。
【００４１】
そして上記半開き状態にある引出し３ａはセルフクロージング機構のばね力と電磁石１０と永久磁石１１の吸引力によりさらに後方に移動し、そして引出し３ａが閉状態になると電磁石１０と永久磁石１１とが当接し、電磁石１０と永久磁石１１の吸引力及びセルフクロージング機構のばね力により引出し３ａが閉状態に維持される。
【００４２】
次に引出し３ａを上記閉状態から開状態にする場合について説明する。
【００４３】
上記閉状態にある引出し３ａが使用者により前方に移動させられ半開き状態となると、上記半開き状態検知手段にて引出し３ａが半開き状態にあることが検知され、これにより制御手段は、電磁石１０と永久磁石１１の対向する極が異極となる方向に流れる電流の向きを逆方向に切り換え、電磁石１０に流れる電流の向きを電磁石１０と永久磁石１１が反発する方向とする。これにより電磁石１０と永久磁石１１の吸引は反発に切り換わる。そしてこの半開き状態からさらに引出し３ａが前方に移動させられて、引出し３ａは開状態となる。
【００４４】
即ち本実施形態では、引出し３ａが半開き状態よりも開いた状態にある場合には、電磁石１０に流れる電流の向きが電磁石１０と永久磁石１１の対向する極が同極となる方向になり、引出し３ａが半開き状態よりも閉じた状態にある場合には、電磁石１０に流れる電流の向きが電磁石１０と永久磁石１１の対向する極が異極となる方向になる。
【００４５】
上記のように本実施形態では、引出し３ａが閉動作初期状態にあるか、閉動作終期状態にあるか、を検知する開閉状態検知手段を設け、引出し３ａが閉動作初期状態にある場合には電磁石１０に両磁石が反発する方向に電流を流し、引出し３ａが閉動作終期状態にある場合には電磁石１０に両磁石が引き合う方向に電流を流すように設定してあるので、引出し３ａを開状態から半開き状態にするまでにおいては電磁石１０と永久磁石１１とを反発させてダンパーとしての機能を十分に発揮させ、引出し３ａを半開き状態から閉状態にするまでにおいては電磁石１０と永久磁石１１とを吸引させることができ、これにより電磁石１０と永久磁石１１とを当接した状態で引出し３ａにてキャビネット本体２の開口部２ｂをより一層強固に閉塞することができる。
【００４６】
また本実施形態では、上記開閉状態検知手段を引出し３ａが半開き状態にあるか否かを検知する半開き状態検知手段とし、引出し３ａが半開き状態よりも開いた状態にある場合には、電磁石１０に該電磁石１０と永久磁石１１とが反発する方向に電流を流すように予め設定し、半開き状態検知手段にて引出し３ａが半開き状態にあることを検知した際に電磁石１０に流れる電流の向きを逆方向に切り換えるように設定してあるので、開閉状態検知手段及び制御手段を簡易なものとできキャビネット１のコストを削減できる。
【００４７】
なお本実施形態におけるセルフクロージング機構のばね力は電磁石１０に流れる電流の向きを電磁石１０と永久磁石１１が反発する方向とした時の電磁石１０と永久磁石１１の反発力よりも大きく設定されているものとする。
【００４８】
また以上説明してきた実施形態ではいずれも、引出し３ａの後板６の後面に永久磁石１１を設けると共にキャビネット本体２の奥面に電磁石１０を設けたが、引出し３ａの側板５の外面に永久磁石１１を設けると共にキャビネット本体２の空所部２ａの内側面にこの永久磁石１１に対向する電磁石１０を設けても良いし、また引出し３ａの前板７の後面に永久磁石１１を設けるとキャビネット本体２の前面における開口部２ｂの周縁部にこの永久磁石１１に対向する電磁石１０を設けても良いものとする。
【００４９】
さらに上記では、引出し３ａに永久磁石１１を設け、キャビネット本体２にキャビネット本体２の開口部２ｂを引出し３ａにて閉塞した際において永久磁石１１に対向する電磁石１０を設けたが、上記実施形態における電磁石１０と永久磁石１１との位置関係を逆として、キャビネット本体２に永久磁石１１を設け、引出し３ａにキャビネット本体２の開口部２ｂを引出し３ａにて閉塞した際において永久磁石１１に対向する電磁石１０を設けても良いものとする。また上記ではキャビネット本体２及び引出し３ａの夫々に設けた磁石の内、一方を永久磁石１１とし、他方を電磁石１０としたが、図７に示すように引出し３ａに永久磁石１１を設けると共にキャビネット本体２にキャビネット本体２の開口部２ｂを引出し３ａにて閉塞した際において前記永久磁石１１に対向する別の永久磁石１１を設け、両永久磁石１１の対向する極を同極となるように配設しても良いし、また引出し３ａに電磁石１０を設けると共にキャビネット本体２にキャビネット本体２の開口部２ｂを引出し３ａにて閉塞した際において前記電磁石１０に対向する別の電磁石１０を設けても良いものとする。なお図７のキャビネット１には上記開閉状態検知手段及び制御手段は設けていないものとする。
【００５０】
また上記実施形態ではいずれも、閉塞部材３を引出し３ａとしたキャビネット１に両磁石１０、１１を設けた例を示したが、図８に示すようにキャビネット１の閉塞部材３を扉３ｂとし、該キャビネット１において、キャビネット本体２と扉３ｂの内、一方に磁石を設けると共に、他方に前記扉３ｂを閉塞する際に前記磁石に反発する別の磁石を設けても良いものとする。ここで図８のキャビネットの扉３ｂは、その一端をキャビンネット本体２に回動自在に連結しその他端を自由端とする回動扉であり、また電磁石１０（又は永久磁石１１）を扉３ｂの後面に設け、永久磁石１１（又は電磁石１０）を、キャビネット本体２の開口部２ｂを扉３ｂにて閉塞した状態において、キャビネット本体２の前面において扉３ｂの後面に対向する部分である開口部２ｂの周縁部に設けたものである。
【図面の簡単な説明】
【００５１】
【図１】本発明の実施の形態の一例を示し、図は引出しが閉塞状態になった時のキャビネットの説明図である。
【図２】同上の電磁石に流れる電流の強弱を切り換える機構を示す回路図である。
【図３】同上の引出しが開状態から半開き状態になる時のキャビネットの説明図である。
【図４】同上の引出しが開状態から半開き状態となった時のキャビネットの説明図である。
【図５】異なる実施の形態の一例を示し、図は引出しが開状態から半開き状態になる時のキャビネットの説明図である。
【図６】同上の引出しが開状態から半開き状態となった時のキャビネットの説明図である。
【図７】更に異なる実施の形態の一例を示し、（ａ）は引出しが閉塞状態になった時のキャビネットの説明図であり、（ｂ）は引出しが開状態から閉状態になる時のキャビネットの説明図である。
【図８】更に異なる実施の形態の一例を示し、図はキャビネットの要部拡大斜視図である。
【符号の説明】
【００５２】
１  キャビネット
２  キャビネット本体
２ｂ  開口部
３  閉塞部材
１０  電磁石
【図１】
2006009367.tif 000003
【図２】
2006009367.tif 000004
【図３】
2006009367.tif 000005
【図４】
2006009367.tif 000006
【図５】
2006009367.tif 000007
【図６】
2006009367.tif 000008
【図７】
2006009367.tif 000009
【図８】
2006009367.tif 000010